(57)【要約】【課題】            納骨のための操作、作業を何人も容易に行えるようにするとともに、内部にリン等の仏具を収納可能にする。【解決手段】        第１の回転板３０および第２の回転板３４のそれぞれを回転操作することにより、基板２０、支持ブロック２１および戴置板２２によって囲まれる空間の前部開口を、第１の扉２３および第２の扉２４で開閉したり、第２の納骨用切欠３６および第１の納骨用切欠２９やリン載置部３８を前記前部開口に臨ませたりするように構成する。【選択図】          図３
2007217890.tif 000002
【特許請求の範囲】
【請求項１】
納骨室を内部または下部に隔成した基台の上に墓石を載置する墓構造であって、
前記墓石の前部に設置される基板と、
該基板の左右に設立される支持ブロックと、
これらの支持ブロック上に掛け渡される戴置板と、
前記基板に形成されて、前記納骨室に連通する納骨用開口部と、
前記各支持ブロック間における前記基板上に水平回転可能に設けられ、前記納骨用開口部および納骨室に連通可能な第１の納骨用切欠を有する第１の回転板と、
該第１の回転板に一体に立設された円弧面を持つ第１の扉と、
前記第１の回転板上で、該第１の回転板に対して独自に水平回転可能に支持された第２の回転板と、
該第２の回転板に設けられ、前記納骨用開口部および第１の納骨用切欠に連通可能な第２の納骨用切欠と、
前記第２の回転板に一体に立設されて、前記第１の扉とともに観音扉を構成する円弧面を持った第２の扉と、
前記第２の回転板上に区画されて、少なくともリンを載置可能にしたリン載置部と、
を備え、
前記第１の回転板および第２の回転板の所定の回転位置において、前記基板、支持ブロックおよび戴置板によって囲まれる空間の前部開口を、前記第１の扉および第２の扉で開閉し、または前記第２の納骨用切欠および第１の納骨用切欠や前記リン載置部を前記前部開口に臨ませるように構成されてなることを特徴とする墓構造。
【請求項２】
前記基板上に突設されて、前記第１の回転板における第１の納骨用切欠の領域内のみで第１の回転板の回転を許容するストッパ部材と、
前記第２の回転板のリン載置部に形成された小孔を貫通し、前記第１の回転板の第１の納骨用切欠内に至り、この第１の納骨用切欠内で第１の回転板に対する第２の回転板の回転を許容する回転規制ピンとを備え、
前記第１の扉および第２の扉が、前記空間の前部開口で閉じた状態で前記ストッパ部材による規制方向とは逆の一方向に回転操作されたとき、前記リン載置部が前記空間の前部開口に臨むように位置することを特徴とする請求項１に記載の墓構造。
【請求項３】
前記第２の回転板上には、前記第２の納骨用切欠とリン載置部とを隔成する仕切りブロックが設置されていることを特徴とする請求項１に記載の墓構造。
【請求項４】
前記第１の回転版が、前記基板上に設立された支軸を中心に第１のベアリングを介して回転自在に支持され、前記第２の回転板が、前記第１の回転板上において前記第１のベアリングと同心に配置された第２のベアリングを介して回転自在に支持されていることを特徴とする請求項１に記載の墓構造。
【請求項５】
前記支持ブロックと前記第１の扉または第２の扉とにキー溝が設けられ、これらの各キー溝に対しキーが抜き差し可能に取り付けられていることを特徴とする請求項１に記載の墓構造。
【請求項６】
前記リン載置部を前記空間の前部開口に臨むように位置させた状態にて、前記回転規制ピンを前記リン載置部の前記小孔から抜き取ることにより、前記第１の回転板に対して第２の回転板の回転操作を自由にし、第１の納骨用切欠および第２の納骨用切欠を、前記基板に形成された納骨用開口部上で連通可能にしたことを特徴とする請求項２に記載の墓構造。
【請求項７】
納骨室を内部または下部に隔成した基台の上に墓石を載置する墓構造であって、
前記墓石の前部に設置される基板と、
該基板の左右に設立される支持ブロックと、
これらの支持ブロック上に掛け渡される戴置板と、
前記基板に形成されて、前記納骨室に連通する納骨用開口部と、
前記各支持ブロック間における前記基板上に水平回転可能に設けられ、前記納骨用開口部および納骨室に連通可能な納骨用切欠を有する回転板と、
該回転板上の一部に設けられて、該回転板の所定の回転位置において、前記基板、支持ブロックおよび戴置板によって囲まれる空間の前部開口を開閉する扉と、
を備えることを特徴とする墓構造。
【請求項８】
前記回転板上には、前記扉との間に、前記納骨用切欠および納骨用開口部に連通する納骨用空間を隔成する仕切り板が設立されていることを特徴とする請求項７に記載の墓構造。
【請求項９】
前記回転板が、前記基板上に設立された支軸を中心にして、ベアリングを介し回転自在に支持されていることを特徴とする請求項７に記載の墓構造。
【請求項１０】
前記扉および仕切り板間においては、前記回転板がリンや供物を載置する載置台として用いられることを特徴とする請求項８に記載の墓構造。
【請求項１１】
前記戴置板には、前記扉が前記空間の前部開口を塞ぐ状態から、前記リン載置台が前記前部開口に臨む位置へ、前記回転板が水平回転することを許容し、一方、前記扉が前記空間の前部開口を塞ぐ状態から前記納骨用切欠が前記前部開口に臨む位置へ、前記回転板が水平回転することを規制する回転規制部材が、着脱自在に取り付けられていることを特徴とする請求項８に記載の墓構造。
【発明の詳細な説明】
【技術分野】
【０００１】
本発明は、納骨室を開閉可能にするとともに、内部にリン等を収容可能にした墓構造に関する。
【背景技術】
【０００２】
一般に、先祖等を葬る墓は、納骨室を内部または下部に隔成した基台上に、墓石を載置した構造をなす。また、この墓石の前部には、納骨室に通じる開口部を開閉する拝石が設置されている。従って、納骨時には、この拝石を墓石本体位置から離すように移動し、前記開口部を大きく開く必要がある。これにより、この開口部を通じて納骨室内へ骨壷を納めることができる（例えば、特許文献１参照）。
【特許文献１】特開平１１―１４１１８９号公報
【発明の開示】
【発明が解決しようとする課題】
【０００３】
しかしながら、従来の墓構造にあっては、納骨時等に、重量が大きい前記拝石を移動して納骨室を開放した上で、この納骨室へ骨壷を設置する必要がある。また、骨壷の設置が済むと、再び納骨室を閉じるために、拝石を元の位置に戻す必要があった。この作業は、何人にとっても大きな負担であり、危険でもある。
【０００４】
本発明は、このような従来の問題点を解消するものであり、納骨のための操作、作業を何人も容易に行えるようにするとともに、墓参や仏事時に内部に収納したリン等の仏具やお線香、花びん等を使用可能にした墓構造を提供することを目的とする。
【課題を解決するための手段】
【０００５】
前記目的達成のために、本発明にかかる請求項１の墓構造は、納骨室を内部または下部に隔成した基台の上に墓石を載置する墓構造であって、前記墓石の前部に設置される基板と、該基板の左右に設立される支持ブロックと、これらの支持ブロック上に掛け渡される戴置板と、前記基板に形成されて、前記納骨室に連通する納骨用開口部と、前記各支持ブロック間における前記基板上に水平回転可能に設けられ、前記納骨用開口部および納骨室に連通可能な第１の納骨用切欠を有する第１の回転板と、該第１の回転板に一体に立設された円弧面を持つ第１の扉と、前記第１の回転板上で、該第１の回転板に対して独自に水平回転可能に支持された第２の回転板と、該第２の回転板に設けられ、前記納骨用開口部および第１の納骨用切欠に連通可能な第２の納骨用切欠と、前記第２の回転板に一体に立設されて、前記第１の扉とともに観音扉を構成する円弧面を持った第２の扉と、前記第２の回転板上に区画されたリン載置部と、を備え、前記第１の回転板および第２の回転板の所定の回転位置において、前記基板、支持ブロックおよび戴置板によって囲まれる空間の前部開口を、前記第１の扉および第２の扉で開閉し、または前記第２の納骨用切欠および第１の納骨用切欠や前記リン載置部を前記前部開口に臨ませるように構成されてなることを特徴とする。
【０００６】
この構成により、仏事や墓参時に墓参者のいずれもが、第１の扉および第２の扉が閉じた状態のまま、これらを手で一方向に回転操作することにより、第２の回転板上のリン載置部が、基板、支持ブロックおよび戴置板によって囲まれる空間の前部開口に現れる。このとき墓参者や僧侶等がリン載置部上のリンを使用して、速やかに墓参や読経を行うことができる。リン載置部上に他の仏具、供物、花びん、お線香等が収納されている時は、それを取り出して使用することもできる。
【０００７】
一方、納骨を行う場合には、前記のようにリン載置部が前記空間の前部開口に位置した状態にて、リンを手で持ち上げ、そのリンに一体の、または別体の回転規制ピンを第２の回転板にある前記小孔から抜き取る。これにより、第１の回転板および第２の回転板は相互に回転がフリーとなる。従って、第１の扉および第２の扉を互いに離す方向に押し広げることにより、第１の納骨用切欠および第２の納骨用切欠を、基板に形成された納骨用開口上で合致させることができる。この結果、これらの切欠および開口を通して、納骨室内へ骨壷を簡単に納めることができる。
【０００８】
また、本発明にかかる請求項２の墓構造は、前記基板上に突設されて、前記第１の回転板における第１の納骨用切欠の領域内のみで第１の回転板の回転を許容するストッパ部材と、前記第２の回転板のリン載置部に形成された小孔を貫通し、前記第１の回転板における第１の納骨用切欠内に至り、この第１の納骨用切欠内で第１の回転板に対する第２の回転板の回転を許容する回転規制ピンとを備え、前記第１の扉および第２の扉が、前記空間の前部開口で閉じた状態で前記ストッパ部材による規制方向とは逆の一方向に回転操作されたとき、前記リン載置部が、前記空間の前部開口に臨むように位置することを特徴とする。
【０００９】
この構成により、第２の回転板が載置された第１の回転板を、第１の回転板の第１の納骨用切欠に当たるまで回転操作するだけで、第２の回転板上のリン載置部を、前記空間の前部開口に臨ませることができ、このリン載置部上のリンや他の仏具、供物、お線香および花びん等を使用して、墓参や読経を速やかに開始することができる。
【００１０】
また、本発明にかかる請求項３の墓構造は、前記第２の回転板上に、前記第２の納骨用切欠とリン載置部とを隔成する仕切りブロックが設置されていることを特徴とする。
【００１１】
この構成により、第１の回転板および第２の回転板によって、第２の回転板上に設置されたリンや供物が、基板、支持ブロックおよび戴置板によって囲まれた空間の前部開口に現れたとき、各仕切りブロックが各回転板に形成された納骨用切欠を墓石の前方から看取できないように隠すことができる。
また、前記第１の回転板および第２の回転板の回転によって、各回転板の納骨用切欠が基板の納骨用開口部を通じて納骨室内に連通したときには、各仕切りブロックが、リン載置部上のリンや他の仏具、供物、お線香等の収納物が、墓石の前方から看取できないように隠すことができる。
【００１２】
また、本発明にかかる請求項４の墓構造は、前記第１の回転版が、前記基板上に設立された支軸を中心に第１のベアリングを介して回転自在に支持され、前記第２に回転板が、前記第１の回転板上において前記第１のベアリングと同心に配置された第２のベアリングを介して回転自在に支持されていることを特徴とする。
【００１３】
この構成により、第１の扉および第２の扉の回転（開閉）操作が軽快となり、墓参や法事等におけるリン載置部上のリンの使用や供物の載置、他の収納物の使用、あるいは納骨などの作業を何人も容易かつ迅速に行うことができる。
【００１４】
また、本発明にかかる請求項５の墓構造は、前記支持ブロックと前記第１の扉または第２の扉とにキー溝が設けられ、これらの各キー溝に対しキーが抜き差し可能に取り付けられていることを特徴とする。
【００１５】
この構成により、前記各キー溝に対し、キーを差し込んだときには、前記第１の扉および第２の扉の自由回転を規制することができる。
【００１６】
また、本発明にかかる請求項６の墓構造は、前記リン載置部を前記空間の前部開口に位置させた状態にて、前記回転規制ピンを前記リン載置部上の小孔から抜き取ることにより、第１の回転板に対して第２の回転板の回転操作を自由にし、第１の納骨用切欠および第２の納骨用切欠を、前記基板に形成された納骨用開口部上で連通可能にしたことを特徴とする。
【００１７】
この構成により、リン載置部のリンを使用した後に、このリンに一体、または別体の回転規制ピンを第２の回転板の小孔から抜き取ると、この回転規制ピンによる第１の回転板の第２の回転板に対する拘束が解除される。このため、第１の回転板に対し第２の回転板を分離するように第１の扉および第２の扉を回転操作することで、第２の納骨用切欠および第１の納骨用切欠が基板の納骨用開口上で連通することになり、納骨室へ骨壷を容易に納めることができる。
【００１８】
また、本発明にかかる請求項７の墓構造は、納骨室を内部または下部に隔成した基台の上に墓石を載置する墓構造であって、前記墓石の前部に設置される基板と、該基板の左右に設立される支持ブロックと、これらの支持ブロック上に掛け渡される戴置板と、前記基板に形成されて、前記納骨室に連通する納骨用開口部と、前記各支持ブロック間における前記基板上に水平回転可能に設けられ、前記納骨用開口部および納骨室に連通可能な納骨用切欠を有する回転板と、該回転板上の一部に設けられて、該回転板の所定の回転位置において、前記基板、支持ブロックおよび戴置板によって囲まれる空間の前部開口を開閉する扉と、を備えることを特徴とする。
【００１９】
この構成により、法事や墓参時等に墓の所有者および墓参者等が扉に手を当てて、この扉を一方向に回転操作することで、この扉に一体の回転板が同方向に回転する。この回転により、基板、支持ブロックおよび戴置板によって囲まれた空間が開放され、この回転板上に供物などを載置可能にするとともに、この回転板上に予め設置されたリンを、墓参り時や僧侶等による読経時に使用可能にする。回転板上に他の仏具、供物、花びん、お線香等が収納されている時は、それを取り出して使用することもできる。
【００２０】
一方、納骨時には、前記扉に手を当てて、これを前記とは逆方向に回転操作することで、この扉に一体の回転板が同方向に回転する。この回転により、基板、支持ブロックおよび載置板によって作られた空間が開放され、回転板に形成された納骨用切欠が、前記基板に形成された納骨用開口部に連通する位置に臨む。
このため、骨壷を前記開放された空間から納骨室内に容易に収納することができる。なお、前記回転板を前記方向とは逆方向に回転操作することで、扉により前記開放された空間の前部開口を容易に塞ぐことが可能になる。
【００２１】
また、本発明にかかる請求項８の墓構造は、前記回転板上に、前記扉との間に、前記納骨用切欠および納骨用開口部に連通する納骨用空間を隔成する仕切り板が設立されていることを特徴とする。
【００２２】
この構成により、前記回転板の回転によって、この回転板上に設置されたリンや供物が、基板、支持ブロックおよび戴置板によって囲まれた空間を通じて墓石の正面側に現れたときに、仕切り板が、この回転板に形成された納骨用切欠を墓石の前方から看取できないように隠すことができる。
また、前記回転板の回転によって、この回転板の納骨用切欠が基板の納骨用開口部を通じて納骨室内に連通したときには、仕切り板が、回転板上のリンや供物および他の収納物が墓石の前方から直接看取できないように、隠すことができる。
【００２３】
また、本発明にかかる請求項９の墓構造は、前記回転板が、前記基板上に設立された支軸を中心にして、ベアリングを介し回転自在に支持されていることを特徴とする。
【００２４】
この構成により、扉を支持している回転板を老若男女のいずれもが容易に回転操作することができ、前記リンの使用や供物の設置、他の収納物の出し入れ、さらに納骨の作業を迅速容易に実施することができる。
【００２５】
また、本発明にかかる請求項１０の墓構造は、前記扉および仕切り板間において、前記回転板がリンを載置するリン載置台として用いられることを特徴とする。
【００２６】
この構成により、僧侶や在家信者、墓参者等がリンを墓所（墓地）に携行しなくても、回転板（リン載置台）上に設置されたリンを使用して、墓参り時や僧侶等による読経を開始することができる。
【００２７】
また、本発明にかかる請求項１１の墓構造は、前記戴置板に、前記扉が前記空間の前部開口を塞ぐ状態から、前記リン載置台が前記前部開口に臨む位置へ前記回転板が水平回転することを許容し、一方、前記扉が前記空間の前部開口を塞ぐ状態から、前記納骨用切欠が前記前部開口に臨む位置へ前記回転板が水平回転することを規制する回転規制部材が、着脱自在に取り付けられていることを特徴とする。
【００２８】
この構成により、扉が前記空間の前部開口を閉じた状態では、扉の回転操作によっても、回転板の納骨用切欠が基板の納骨用開口部に連通しないようにし、一方、回転規制部材を戴置板から外した場合には、回転板の納骨用切欠を基板の納骨用開口部に連通可能にして、納骨の作業を容易に行えるようにすることができる。
なお、この発明でリン載置部およびリン載置台とは、リンだけでなく他の仏具、供物、花びん、お線香等を載置したり、収納できるものであり、これらを包含する手段を指す。
【発明の効果】
【００２９】
本発明は、第１の回転板および第２の回転板の所定の回転位置において、基板、支持ブロックおよび戴置板によって囲まれる空間の前部開口を、第１の扉および第２の扉で開閉し、または第２の納骨用切欠および第１の納骨用切欠や、リン載置部を前記前部開口に選択的に臨ませるように構成したので、仏事、墓参時等には、第１の扉および第２の扉を閉じた状態で、これらの扉を一方向に軽く回転操作するだけで、前記空間の前部開口が開放され、この回転板に区画されたリン載置部上に供物などを載置したり、仏具、お線香、花びん等を収納したり、このリン載置部上に予め設置されたリンを、墓参者や僧侶による読経時に使用することができる。
【００３０】
また、納骨時には、前記リンに一体または別体の回転規制ピンを第２の回転板を貫通する小孔から抜き取り、第２の扉および第１の扉を押し開くように手で軽く回転操作することで、前記空間の前部開口が開放され、第１の納骨用切欠および第２の納骨用切欠を、基板に形成された納骨用開口部に連通する位置に臨ませることができる。このため、前記空間から前記の各納骨用切欠および納骨用開口部を通じて、納骨室へ骨壷を容易に収納することができる。
【００３１】
また、本発明は、墓石前部の基板と、この基板左右側の支持ブロックと、これらの支持ブロック上の戴置板と、前記基板に形成された納骨用開口部と、前記各支持ブロック間で水平回転する回転板とを有し、この回転板上の一部に、この回転板の所定の回転位置において、前記基板、支持ブロックおよび戴置板によって囲まれる空間の前部開口を開閉する扉を備えることにより、墓参時等には、扉に手を当てて、この扉を一方向に回転操作することで、前記空間の前部開口が開放され、この回転板上に供物などを載置したり、この回転板上に予め設置されたリンを、墓参り時や僧侶による読経時に使用したりすることができる。
また、回転板上には、他の仏具、供物、花びん、お線香等も収納可能となり、墓参り時には、取り出して使用することもできる。
【００３２】
また、納骨時には、前記扉に手を当てて、これを前記とは逆方向に回転操作することで、前記空間の前部開口が開放され、回転板の納骨用切欠を、基板に形成された納骨用開口部に連通する位置に臨ませることができる。このため、前記空間から納骨用切欠および納骨用開口部を通じて、納骨室へ骨壷を容易に収納することができる。
【発明を実施するための最良の形態】
【００３３】
以下、本発明の第１の実施の形態による墓構造を、図１乃至図８を参照しながら説明する。
図１は、本発明の第１の実施の形態にかかる墓構造を持つ墓石Ａを示す斜視図である。この墓石Ａは、内部または下部に納骨室を隔成する石材またはコンクリートからなる基台１１を最下部に有する。この基台１１上に、御影石などの石材からなる周知サイズの下台１２、中台１３、上台１４および竿石１５が順に積み重ねられている。
【００３４】
前記基台１１は、図２に示すように、カロートと呼ばれる納骨室１６を有し、この納骨室１６内に設けられた棚１７上に骨壷１８が載置可能となっている。なお、この納骨室１６の底部は前部または一部（図２では、前部）が地中に開放されて、水抜き機能が得られるようになっている。
【００３５】
この納骨室１６の上部であって、下台１２の前部には、拝台１９が設置されている。この拝台１９は、図２の断面図および図３の分解斜視図に示すように、納骨室１６の一部（前半部）を被うように、基台１１上に載置（設置）される略半円形の基板２０と、この基板２０の左右に一体または別個に設置された一対の支持ブロック２１と、前記基板２０の半円形部の形状に倣った円弧部を有し、かつ各支持ブロック２１上に戴置された戴置板２２と、を備える。
【００３６】
これらの基板２０、支持ブロック２１および戴置板２２によって囲まれる空間の前部開口には、この前部開口を開閉する円弧面を持った、観音扉と呼ばれるタイプの扉を構成する第１の扉２３および第２の扉２４が回動操作可能に設けられている。これらの第１の扉２３および第２の扉２４の開閉構造については、後に詳しく説明する。
【００３７】
前記基板２０は、上下に貫通する扇型の納骨用開口部２５を有し、この納骨用開口部２５は、前記納骨室１６に連通している。このため、この納骨用開口部２５を通して納骨室１６内へ骨壷１８を納めることができる。なお、この納骨用開口部２５のサイズは、少なくとも骨壷と人の手が同時に挿入できる大きさとされる。
【００３８】
基板２０の上面には、これの半円形部の中心となる位置に支軸２６が突設されている。この支軸２６にはフランジ部２７ａを有するベアリング２７が支持されている。また、基板２０には納骨用開口部２５の上方へ突出するストッパピン２８が設けられている。
【００３９】
前記ベアリング２７は、扇形の第１の納骨用切欠２９を持つ第１の回転板３０の中心孔３１周辺を、支持している。そして、この第１の回転板３０の外周には、所定長（前記空間における前部開口幅の半分を少し超える長さ）に亘って、円弧状の前記第１の扉２３が立設されている。
【００４０】
この第１の扉２３の一端は、図３に示すように、第１の納骨用切欠２９の一側縁に臨んでいる。この第１の回転板３０および第１の扉２３もまた石材からなる。このため、第１の回転板３０は、ベアリング２７を介して基板２０上に水平回転可能である。
第１の納骨用切欠２９は基板２０の納骨用開口部２５と同等または若干大きいサイズである。なお、第１の扉２３の上縁部には、キー溝３２が形成されている。
【００４１】
また、第１の回転板３０上には、第２のベアリング３３を介して、扇形の第２の納骨用切欠３６を持つ第２の回転板３４が支持されている。第２のベアリング３３は、第１の回転板３０の中心孔３１上にこれを被うように載置され、そのフランジ部３３ａは第２の回転板３４の中心孔３５周辺を支持している。
このため、第２の回転板３４は第１の回転板３０に対し同芯上を自由回転可能である。なお、この第２のベアリング３３も前記第１のベアリング２７を貫通する支軸２６に支持されている。
【００４２】
前記第２の回転板３４の外周には、所定長に亘って円弧状の前記第２の扉２４が立設されている。この第２の扉２４の一側縁は、図３に示すように、第２の納骨用切欠３６の一側縁に臨んでいる。ここで、第１の扉２３と第２の扉２４は、前記空間の前部開口で開閉可能であり、閉時には相互に密接させる必要から、互いに嵌合可能な段状部ｃ、ｄ（図３、図５参照）となっている。
【００４３】
第２の回転板３４の外周には、所定円弧長に亘って円弧切欠部３７が形成されており、第２の回転板３４に対する第１の回転板３０の回転時に、第１の回転板３０上の第１の扉２３がその切欠部３７に出入可能となっている。
前記第２の回転板３４の中心孔３５周辺には、この中心孔３５を塞ぐように、丸棒状の軸部材４１が接着剤を介して立設されている。
【００４４】
第２の回転板３４の上面は、リン載置部３８となっており、この第２の回転板３４上には、前記軸部材４１外周の一部を被うとともに、第２の納骨用切欠３６とリン載置部３８とを隔成する一対の扇形ブロック３９、４０が接着剤等により取り付けられている。
扇形ブロック３９の外周には、第２の回転板３４上の切欠部３７に倣って、円弧切欠部４２が形成されている。
【００４５】
前記リン載置部３８の中央部付近には、小孔４３が上下に貫通するように設けられている。この小孔４３には、リン台４４に取り付けられた回転規制ピン４５が着脱可能に挿入されている。リン台４４にはリン４６が一体に設けられている。前記回転規制ピン４５は第２の回転板３４のリン載置部３８を貫通して、第１の回転板３０の第１の納骨用切欠２９内にまで及んでいる。
【００４６】
また、一方の前記支持ブロック２１の上端縁には、これを左右に貫くキー溝４７が形成されている。このキー溝４７と前記第１の扉２３の上端縁に形成されたキー溝３２との間に、支持ブロック２１の外側から角棒状のキー４８を挿し込み可能になっている。このキー４８を、各キー溝４７、３２に対して挿し込んだときには、第１の扉２３の移動（回転）が規制される。
【００４７】
なお、前記戴置板２２の下面と、扉２３、２４、軸部材４１および仕切りブロック３９、４０との間には、僅かな間隙が確保され、これらが戴置板２２の下面に干渉することなく、スムースに回転可能になっている。
【００４８】
前記回転板３０、３４は、それぞれ扇形の納骨用切欠２９、３６を持つ円盤であり、これらの回転板３０、３４の回転を許容可能にするため、下台１２前部に、図２および図４に示すような切欠５０が形成されている。
【００４９】
次に、前記構成になる第１の実施の形態にかかる墓構造の動作を説明する。
図１および図２は、法事時や納骨時以外の状態における墓石の斜視図および要部の断面図である。この状態では、基板２０、支持ブロック２１および戴置板２２により囲まれた空間の前部開口を、第１の扉２３および第２の扉２４が閉じた状態にて塞いでいる。
【００５０】
この状態においては、支持ブロック２１上のキー溝４７および第１の扉２３上のキー溝３２には、支持ブロック２１の外部からキー４８が挿し込まれている。このため、第１の扉２３、つまり第１の回転板３０の回転操作が規制されている。
【００５１】
また、第１の回転板３０における第１の納骨用切欠２９の一方の側縁２９ａには、図５（ｂ）に示すように、ストッパピン２８が接触または近接している。このため、このストッパピン２８によっても、第１の回転板３０は時計方向の回転が規制されている。
【００５２】
また、第２の回転板３４は、図５（ａ）に示すように、リン載置部３８が左方に位置する状態となる。このため、このリン載置部３８上の小孔４３から下方へ突出したリン台４４下部の回転規制ピン４５が、図５（ｂ）に示すように第１の回転板３０における第１の納骨用切欠２９内にあって、これの他方の側縁２９ｂに接触または近接している。これにより、第２の回転板３４は時計方向の回転が規制され、両扉２３、３４は互いに接触しており、観音開き状態にはならない。
【００５３】
一方、墓参り、法事時などに墓参者、僧侶等による読経を墓前で行う場合等には、前記キー４８を所定量だけ引き抜いて、キー溝３２との係合を解除する。さらに、前記第１の扉２３および第２の扉２４を閉じたまま反時計方向に手で回転操作する。これにより、ベアリング２７に支持された第１の回転板３０が、同方向に軽快に回転する。
【００５４】
なお、この回転のための操作は、ベアリング２７がない場合にも、各回転板３０、３４が石材であるにも拘らず板状をなすため軽量であり、比較的軽快に行うことができる。また、ベアリングを使用すればその操作はさらに軽快に行える。
【００５５】
この第１の回転板３０の回転により、第１の回転板３０における第１の納骨用切欠２９の側縁２９ｂによって、前記回転規制ピン４５が同方向に押される。このため、第１の回転板３０上に第２のベアリング３３を介して支持された第２の回転板３４も同方向に回転する。
【００５６】
従って、前記空間の前部開口からは各扉２３、２４が退避され、続いてリン４６を載せたリン載置部３８が、図６および図８（ａ）に示すように、前記前部開口に臨む。このとき、第２の納骨用切欠３６は仕切りブロック３９、４０によって墓石の前方から看取することができない。このリン載置部３８上には、供物や仏具などを載せることができ、閉塞時には、仏具、供物、花びんおよびお線香等を収納できる。
一方、前記戴置板２２上には、線香たてやローソクたてのほか、花を生けた花瓶を載置することができる。
【００５７】
従って、墓石の前面には、リン４６を載せたリン載置部３８が現れるので、墓前の僧侶や在家信者、墓参者等はこのリン４６を使用して、また、収納された仏具、花びん、お線香等を使用して、墓参したり、読経を開始することができる。
【００５８】
なお、墓参や法事が終了した後は、第１の回転板３０を納骨用切欠２９の一側縁２９ａがストッパピン２８に当たるまで、時計方向に回転操作する。これにより、第１の扉２３および第２の扉２４は再び互いに閉じた状態にて、前記空間の前部開口を、図１および図４に示すように塞ぐ。
【００５９】
一方、納骨時にあっては、前記同様に、第１の回転板３０および第２の回転板３４を反時計方向に回転操作した上で、リン載置部３８を前記空間の前部開口に臨ませる。続いて、前記リン載置部３８上のリン４６をリン台４４とともに持ち上げる。これにより回転規制ピン４５がリン載置部３８にある小孔４３から抜き取られる。このため、第２の回転板３４は第１の回転板３０に対して移動（回転）が自由となる。
【００６０】
そこで、第１の扉２３および第２の扉２４をそれぞれ手で開くように回転操作することにより、前記第１の回転板３０および第２の回転板３４の各納骨用切欠２９、３６が、図７および図８（ｂ）に示すように、基板２０の納骨用開口２５に連通する位置に至る。
【００６１】
このため、骨壷１８を、前記空間の前部開口から各納骨用切欠２９、３６および納骨用開口２５を順に介して、納骨室１６内の棚１７上に納めることができる。
なお、納骨が終了したら、第１の扉２３および第２の扉２４を閉じるようにこれらを回転操作し、リン載置部３８が前記前部開口に来たとき、回転規制ピン４５を小孔４３に挿し込む。
【００６２】
そして、再び両扉２３、２４が前記前部開口に来るようにこれらを回転操作し、前記各キー３２、４７が一致したとき、これらのキー溝３２、４７にキー４８を挿し込んで、作業を終了する。これにより、拝台が図１に示す状態に戻る。
【００６３】
以上のように、第１の実施の形態にあっては、第１の回転板３０および第２の回転板３４のそれぞれを回転操作することにより、基板２０、支持ブロック２１および戴置板２２によって囲まれる空間の前部開口を、第１の扉２３および第２の扉２４で開閉したり、第２の納骨用切欠３６および第１の納骨用切欠２９やリン載置部３８を前記前部開口に臨ませたりするように構成したことにより、第１の扉２３および第２の扉２４が閉じた状態で回転操作した際に、前記リン載置部３８を墓石の正面側に出して、墓参者や僧侶等がリン載置部３８上のリン４６を使用して、また、仏具や花びん、お線香等が収納されていたときは、それを取り出し使用して、速やかに墓参や読経を行うことができる。
【００６４】
一方、リン載置部３８が墓石の正面側に出た状態にて、リン４６を手で持ち上げ、回転規制ピン４５を第２の回転板３４上の小孔４３から抜き取ることにより、第１の回転板３０に対し第２の回転板３４をフリーにできる。従って、第１の扉２３および第２の扉２４を互いに離す方向に押し広げることにより、第１の納骨用切欠２９および第２の納骨用切欠３６を、基板２０に形成された納骨用開口２５上で合致させることができる。この結果、これらの切欠２９、３６および開口２５を通して、納骨室１６内へ骨壷１８を簡単に納めることができる。
【００６５】
なお、前記第１の実施の形態は、本発明を制限するものではなく、本発明は要旨を逸脱しない範囲で種々の変形が許容される。例えば、第１の実施の形態における基板、支持ブロック、載置板、第１の扉、第２の扉、第１の回転板、第２の回転板および仕切りブロック等は、石材だけでなく、その一部または全部が合成樹脂製であってもよい。また、回転規制ピンは、実施の形態では、リンのリン台に固設した場合で示しているが、これはリンとは別に設けてもよいことはもちろんである。さらに、扉には鍵等の他の施錠手段を設けてもよい。
【００６６】
次に、本発明の第２の実施の形態による墓構造を、図９乃至図１６を参照しながら説明する。
図９は、本発明の第２の実施の形態に係る墓構造を持つ墓石Ｂを示す斜視図である。この墓石Ｂは、内部または下部に納骨室を隔成する石材またはコンクリートからなる基台１１を最下部に有する。この基台１１上に、御影石などの石材からなる周知サイズの下台１２、中台１３、上台１４および竿石１５が順に積み重ねられている。
【００６７】
前記基台１１は、図１０に示すように、カロートと呼ばれる納骨室１６を有し、この納骨室１６内に設けられた棚１７上に骨壷１８が載置可能となっている。なお、この納骨室１６の底部は前部または一部（図１０では、前部）が地中に開放されて、水抜き機能が得られるようになっている。
【００６８】
この納骨室１６の上部であって、下台１２の前部には、拝台１９が設置されている。この拝台１９は、図１０の断面図および図１１の分解斜視図に示すように、納骨室１６の一部（前半部）を被うように基台１１上に載置（設置）される略半円形の基板２０と、この基板２０の左右に一体または別個に設置された一対の支持ブロック２１と、前記基板２０の半円形部の形状に倣った円弧部を有し、かつ各支持ブロック２１上に戴置された戴置板２２と、を備える。
【００６９】
これらの基板２０、支持ブロック２１および戴置板２２によって囲まれる空間の前部開口には、この前部開口を開閉する円弧面を持った扉１２３が回動可能に設けられている。この扉１２３の開閉構造は、後に詳しく説明する。
【００７０】
前記基板２０は、上下に貫通する扇型の納骨用開口部１２４を有し、この納骨用開口部１２４は、前記納骨室１６に連通している。このため、この納骨用開口部１２４を通して納骨室１６内へ骨壷を納めることができる。なお、この納骨用開口部１２４のサイズは、骨壷と人の手が同時に挿入できる大きさとされる。
【００７１】
また、基板２０の上面には、これの半円形部の中心となる位置に支軸１２５が突設されている。この支軸１２５にはフランジ部１２６ａを有するベアリング１２６が支持されている。
【００７２】
このベアリング１２６は、扇形切欠１２７を持つ回転板１２８の中心孔１２９周辺を、支持している。この回転板１２８もまた石材からなる。このため、回転板１２８は、ベアリング１２６を介して基板２０上に水平回転可能である。なお、扇形切欠１２７は基板２０の納骨用開口部１２４と同等または若干大きいサイズである。
【００７３】
前記回転板１２８上の中心孔１２９周辺には、丸棒状の軸部材１３０が接着剤を介在するなどして固定されている。さらに、回転板１２８上には、この軸部材１３０の外周を被うように扇形ブロック状の前記扉１２３が接着剤を介在するなどして、固定されている。
この扉１２３の片面（垂直面）１２３ａは、前記回転板１２８の扇形切欠１２７の、一方の切欠面１２７ａに略一致する位置に固定されている。
【００７４】
また、前記回転板１２８上には、前記扇形切欠１２７の他方の切欠面１２７ｂに略一致する位置に、仕切り板１３１が接着剤を介在するなどして、垂直に設立されている。ここで、扉１２３は、基板２０、二つの支持ブロック２１および戴置板２２によって囲まれる空間の前部開口を開閉するように機能し、このため、略１２０度の角度を少し超える扇形ブロック状をなす。
【００７５】
従って、この扉１２３と仕切り板１３１との間の回転板１２８の一部は、供物などとともにリン１３３を載置するリン載置台１３２を構成している。なお、このリン１３３は、下部にピン１３４を有するリン台１３５上に取り付けられ、このピン１３４が、リン載置台１３２上のピン孔１３６に差し込まれている。このため、リン１３３は、リン載置台１３２上に安定支持される。
【００７６】
前記支持ブロック２１上の戴置板２２には、小孔１３７が穿設されており、この小孔１３７には、摘み１３８の下面に突設されたストッパピン１３９が、戴置板２２の上から脱抜可能に挿入されている。
【００７７】
このストッパピン１３９は、戴置板２２の下方に突出しており、前記扉１２３が前記支持ブロック２１間を塞ぐ状態においては、仕切り板１３１に係止して、これを時計方向へ回転（移動）するのを規制するように機能している。前記扉１２３、軸部材１３０および仕切り板１３１も石材からなる。
【００７８】
なお、前記戴置板２２の下面と、扉１２３、軸部材１３０および仕切り板１３１との間には、僅かな間隙が確保され、これらが戴置板２２の下面に干渉することなく、スムースに回転可能になっている。
【００７９】
前記回転板１２８は、扇形の納骨用切欠１２７を持つ円盤であり、この回転板１２８の回転を許容可能にするため、下台１２前部に、図１０、図１２および図１３に示すような切欠１４０が形成されている。
【００８０】
次に、前記構成になる第２の実施の形態にかかる墓構造の動作を説明する。
図９および図１０は、法事時や納骨時以外の状態における墓石の斜視図および要部の断面図である。この状態では、基板２０、支持ブロック２１および戴置板２２により囲まれた空間の前部開口を、扉１２３が閉塞している。
【００８１】
また、このとき仕切り板１３１は、戴置板２２の小孔１３７に挿入されたストッパピン１３９によって時計方向への移動（回転）が規制されている。このため、この扉１２３は、リン載置台１３２上のリン１３３や供物、および納骨用切欠１２７を隠し、これらが墓石の前方から看取することができないようになっている。
【００８２】
一方、墓参り、法事時などに墓参者の墓参りや僧侶による読経を墓前で行う場合等には、前記扉１２３の表面に手を当てて、図１２に示すように、矢印Ｘ方向に回転操作する。これにより、ベアリング１２６に支持された回転板１２８が、同方向に軽快に回転する。この回転のための操作は、扉１２３の片面１２３ａが、図１３に示すように、前記ストッパピン１３９に当接されるまで行う。
【００８３】
このため、前記空間の前部開口からは扉１２３が退避され、リン１３３を載せたリン載置台（回転板の一部）１３２が、図１３および図１４に示すように、前記前部開口に臨む。このとき、納骨用切欠１２７は仕切り板１３１によって墓石の前方から看取することができない。このリン載置台１３２上には、供物や仏具などを載せることができる。
一方、前記戴置板２２上には、線香たてやローソクたてのほか、花を生けた花瓶を載置することができる。また、前記リン載置台２２上には、線香たてやローソクたてのほか、花を生けた花瓶を載置することができるし、不使用時には載置して収納しておくこともできる。
【００８４】
従って、墓石の前面には、リン１３３を載せたリン載置台（回転板）１３２が現れるので、墓前の僧侶や在家信者、墓参者はこのリンを使用して、墓参りや読経を開始することができる。
なお、墓参りや法事が終了した後は、仕切り板１３１がストッパピン１３９に当たるまで、前記回転板１２８を、前記矢印Ｘ方向とは逆方向に回転操作する。
これにより、扉１２３は、前記空間の前部開口を、図９および図１２に示すように閉じる。
【００８５】
一方、納骨時にあっては、前記戴置板２２上の摘み１３８を指で摘み上げ、ストッパピン１３９を小孔１３７から抜く。これにより、ストッパピン１３９による仕切り板１３１の、前記矢印Ｘ方向とは逆方向の回転規制が解除される。
【００８６】
このため、図９および図１２に示す状態の扉１２３を手で、前記矢印Ｘ方向とは逆方向に回転操作することができる。
この回転操作により、前記回転板１２８の納骨用切欠１２７が、図１５に示すように、基板２０の納骨用開口１２４に連通する位置に至る。
【００８７】
このため、図１５および図１６に示すように、骨壷１８を、前記空間の前部開口から納骨用切欠１２７および納骨用開口１２４を順に介して、納骨室１６内の棚１７上に納めることができる。
【００８８】
前述のように、第２の実施の形態にあっては、墓石Ｂ前部の基板２０と、この基板２０の左右側の支持ブロック２１と、これらの支持ブロック２１上の戴置板２２と、前記基板２０に形成された納骨用開口部１２４と、前記各支持ブロック２１間で水平回転する回転板１２８とを備え、この回転板１２８上の一部に、この回転板１２８の所定の回転位置において、前記基板２０、支持ブロック２１および戴置板２２によって囲まれる空間の前部開口を開閉する扉１２３を備えることにより、法事や墓参時等には、扉１２３に手を当てて、この扉１２３を一方向に回転操作することで、前記空間の前部開口が開放され、この回転板１２８上に供物などを載置したり、この回転板１２８上に予め設置されたリン１３３を、墓参り時や僧侶による読経時に使用したりすることができる。
【００８９】
また、納骨時には、ストッパピン１３９を外し、前記扉１２３に手を当てて、これを前記とは逆方向に回転操作することで、前記空間の前部開口が開放され、回転板１２８の納骨用切欠１２７を、基板２０に形成された納骨用開口部１２４に連通する位置に臨ませることができる。従って、前記空間から納骨用切欠１２７および納骨用開口部１２４を通じて、納骨室１６へ骨壷１８を容易に収納することができる。
【００９０】
なお、前記第２の実施の形態は、本発明を制限するものではなく、本発明は要旨を逸脱しない範囲内で種々の変形が許容される。例えば、第２の実施の形態にかかる各構成部材の一部または全部は、石材だけでなく合成樹脂製であってもよく、また、扉１２３には鍵等の他の施錠手段を設けてもよい。
【産業上の利用可能性】
【００９１】
以上のように、本発明にかかる墓構造は、納骨のための操作、作業を何人も容易に行えるとともに、内部にリン等の仏具を速やかに収納できるという効果を有し、納骨室を自在に開閉可能にするとともに内部にリンが収容可能な墓構造等として有用である。
【図面の簡単な説明】
【００９２】
【図１】本発明の第１の実施形態による墓構造の墓石を示す斜視図である。
【図２】図１に示す墓石の要部を破断して示す側面図である。
【図３】図１における拝台を分解して示す分解斜視図である。
【図４】図３における拝台の要部を示す平断面図である。
【図５】図４における第１の回転板と第２の回転板とを分離して示す平面図（ａ）（ｂ）である。
【図６】図４における拝台内の第２の回転板を一方向へ回転した状態の斜視図である。
【図７】図４における拝台内の第２の回転板を他方向へ回転した状態の斜視図である。
【図８】図４における拝台内の第１の回転板および第２の回転板の位置関係を示す説明図（ａ）（ｂ）である。
【図９】本発明の第２の実施形態による墓構造の墓石を示す斜視図である。
【図１０】図９に示す墓石の要部を破断して示す側面図である。
【図１１】図９における拝台を分解して示す分解斜視図である。
【図１２】図１１における拝台の要部を示す平断面図である。
【図１３】図１１における拝台内の回転板を一方向へ回転した状態の平断面図である。
【図１４】図１１における拝台内の回転板を一方向へ回転した状態の斜視図である。
【図１５】図１１における拝台内の回転板を他方向へ回転した状態の平断面図である。
【図１６】図１１における拝台内の回転板を他方向へ回転した状態の斜視図である。
【符号の説明】
【００９３】
Ａ、Ｂ  墓石
１１  基台
１２  下台
１３  中台
１４  上台
１５  竿石
１６  納骨室
１８  骨壷
１９  拝台
２０  基板
２１  支持ブロック
２２  戴置板
２３  第１の扉
２４  第２の扉
２５  納骨用開口部
２６  支軸
２７  第１のベアリング
２８  ストッパピン
２９  第１の納骨用切欠
３０  第１の回転板
３２  キー溝
３３  第２のベアリング
３４  第２の回転板
３６  第２の納骨用切欠
３８  リン載置部
３９、４０  仕切りブロック
４３  小孔
４４  リン台
４５  回転規制ピン
４６  リン
４７  キー溝
４８  キー
１２３  扉
１２４  納骨用開口部
１２６  ベアリング
１２７  扇形切欠
１２８  回転板
１３１  仕切り板
１３２  リン載置台
１３３  リン
１３７  小孔
１３８  摘み
１３９  ストッパピン
【図１】
2007217890.tif 000003
【図２】
2007217890.tif 000004
【図３】
2007217890.tif 000005
【図４】
2007217890.tif 000006
【図５】
2007217890.tif 000007
【図６】
2007217890.tif 000008
【図７】
2007217890.tif 000009
【図８】
2007217890.tif 000010
【図９】
2007217890.tif 000011
【図１０】
2007217890.tif 000012
【図１１】
2007217890.tif 000013
【図１２】
2007217890.tif 000014
【図１３】
2007217890.tif 000015
【図１４】
2007217890.tif 000016
【図１５】
2007217890.tif 000017
【図１６】
2007217890.tif 000018